(57)【要約】【課題】ヘッド全体の打球フェースよりも後方寄りの深い重心深度（打球フェースから重心までの距離）と低重心を有し、振動減衰効果が優れていて、且つその重心が簡単に変更できるクラブヘッドを提供しようとする。【解決手段】ボールを打撃するフェースを備えた前面部と、該前面部から後方へ伸びてなった後枠部とを有するクラブヘッドにおいて、前記後枠部の後下側の当たりに窪みが形成され、該窪みに凹陥部のある振動減衰材が充填され、また、該振動減衰材の凹陥部に釣合重りが充填されているクラブヘッドを提供し、特に該釣合重りが簡単に交換されるように構成された。【選択図】図２
2006198251.tif 000002
【特許請求の範囲】
【請求項１】
ボールを打撃するフェースを備えた前面部と、該前面部から後方へ伸びてなった後枠部とを有するクラブヘッドにおいて、
前記後枠部の後下側の当たりに窪みが形成され、該窪みに凹陥部のある振動減衰材が充填され、また、該振動減衰材の凹陥部に釣合重りが充填されていることを特徴とするクラブヘッド。
【請求項２】
前記後枠部は、前記前面部の周縁から後方へ伸びて収束し、前記前面部と合わせて中空体となったものであり、
また、前記窪みは、前記後枠部の上下の境界線の下側面に形成されていることを特徴とする請求項１に記載のクラブヘッド。
【請求項３】
前記前面部にはほぼ直線となった下周縁があり、
前記後枠部は、前記前面部の前記下周縁から後方へ伸びてなったほぼ平面状の底面部と、前記前面部の周縁の前記下周縁以外の部分及び前記底面部の周縁の前記下周縁と連接している部分以外の部分から延出して一体に連接してなった背面部とからなり、また、前記窪みは前記底面部における後側の前記背面部寄りの所に形成されていることを特徴とする請求項２に記載のクラブヘッド。
【請求項４】
前記窪み内の壁面に複数の通孔が開設されていることを特徴とする請求項２または３に記載のクラブヘッド。
【請求項５】
前記後枠部は、前記前面部の後面から後方へ突出し、その上部が後方へ開口している中空状となり、その下部が突台状となり、
且つ、前記窪みは前記下部の背面に形成されていることを特徴とする請求項１に記載のクラブヘッド。
【請求項６】
前記振動減衰材はゴム製の断面コ字形のものであり、前記釣合重りは金属製のプラグ形のものであって前記振動減衰材の断面コ字形の凹陥部に交換可能に充填されていることを特徴とする請求項１〜５のいずれか一項に記載のクラブヘッド。
【発明の詳細な説明】
【技術分野】
【０００１】
本発明は、クラブヘッドに関し、特に重心が低くて振動減衰効果が優れたクラブヘッドに関するものである。
【背景技術】
【０００２】
ゴルフをやる時、ボールをできるだけ高くて遠く打つために、ゴルファーのスイング姿勢や打撃力・ゴルフクラブの選択のほか、ゴルフクラブの設計の良否も重要である。ゴルフクラブとしては、そのクラブヘッドのデザインが特に決め手となる。
【０００３】
クラブヘッドは、キーポイントの一つの材質については、硬ければ硬いほど壊れにくくなるが、ボールを打った後生じる振動を減衰させる効果がよくないので、ボールは激しい振動状態で飛んでいって飛翔のエネルギーが消耗されてしまうため、飛行距離が短縮されるうえ、その振動がゴルファーの手に伝わってけがを負わせることにもなる。
【０００４】
また、クラブヘッドのもう一つのキーポイント、全体の重心については、重心が高く位置させられたものは、打ったボールの飛行軌跡が低いので、力強いゴルファーだけに適するが、一方、重心が低く位置させられたものは、打ったボールが高く飛びかけるので、力弱いゴルファーにも初心者にも最適である。さらに、重心が打球フェースに近すぎると、インパクト時にクラブヘッドは過激に捻じられてバランスがなくなる。それゆえに、重心を打球フェースよりも後方へ置くほどボールの飛翔の方向性がよくなる。
【０００５】
そして、場合によっては、ゴルファーにとって必要なクラブヘッドの重心も違うので、その要請に応じてクラブヘッド全体の重心の重量を変えることができたらいいと考えられている。
【発明の開示】
【発明が解決しようとする課題】
【０００６】
本発明は、前記のようなクラブヘッドの設計理論のもとで、ヘッド全体の打球フェースよりも後方寄りの深い重心深度（打球フェースから重心までの距離）と低重心を有し、振動減衰効果が優れたクラブヘッドを提供しようとすることを目的とする。
【０００７】
前記の他に、また、その重心が簡単に変更できるクラブヘッドを提供しようとすることをもう一つの目的とする。
【課題を解決するための手段】
【０００８】
前記目的を達成するために、本発明は、ボールを打撃するフェースを備えた前面部と、該前面部から後方へ伸びてなった後枠部とを有するクラブヘッドにおいて、前記後枠部の後下側の当たりに窪みが形成され、該窪みに凹陥部のある振動減衰材が充填され、また、該振動減衰材の凹陥部に釣合重りが充填されているクラブヘッドを提供し、特に該釣合重りが簡単に交換できるように構成されたクラブヘッドを提供する。
【発明の効果】
【０００９】
前記構造によるクラブヘッドは、全体の後下側の当たりに振動減衰材が充填されているとともに、その上に釣合重りが交換可能に充填されているので、振動を減衰させる効果を持つうえ、クラブヘッド全体の深い重心深度と低重心を実現させることができる。
【００１０】
さらに、前記釣合重りが交換可能に充填されているので、ゴルファーは異なる重量の釣合重りを取り替えることによって、需要に応じてクラブヘッド全体の重心を調整することができる。
【発明を実施するための最良の形態】
【００１１】
以下に、本発明の好適な実施形態について、添付の図面を参照して説明する。なお、以下の説明には、類似した部材について同一の符号を付与することにする。
【００１２】
図１は、本発明の第１の実施形態にかかるクラブヘッドを斜め下からみた斜視図である。図２は、図１の第１の実施形態にかかるクラブヘッドを側面からみた断面図（打球面を正面とした場合）である。図３は、本発明の第２の実施形態にかかるクラブヘッドを反打球面の方からみた斜視図である。図４は、図３の第２の実施形態にかかるクラブヘッドを側面からみた断面図（打球面を正面とした場合）である。
【００１３】
図２及び図４に示すように、本発明のクラブヘッド２は、基本的には、ボールを打撃するフェース２０１を備えた前面部２０（即ち打球面）と、該前面部２０から後方へ伸びてなった後枠部２１とを有する。前記後枠部２１の後下側の当たりに窪み２１６が形成され、該窪み２１６に凹陥部のある振動減衰材２２が充填され、また、該振動減衰材２２の凹陥部に釣合重り２３が充填されている。
【００１４】
そして、図１と図２に示すように、第１の実施形態はウッドクラブヘッドであり、それにおいて、クラブヘッド２の後枠部２１は、前面部２０の周縁から後方へ伸びて徐々に先細に収束し、前面部２０と合わせて中空体となったものであり、また、前記窪み２１６は、後枠部２１の上下の境界線２１０の下側面に形成されている。
【００１５】
詳しく説明すると、前面部２０にはほぼ直線となった下周縁２１１があり、後枠部２１は、底面部２１３と背面部２１２とからなっている。該底面部２１３は、前面部２０の前記下周縁２１１から後方へ伸びてなったほぼ平面状なもので、該背面部２１２は、前面部２０の周縁の下周縁２１１以外の部分及び底面部２１３の周縁の下周縁２１１と連接している部分以外の部分から延出して一体に連接してなった。前記窪み２１６は底面部２１３における後側の背面部２１２寄りの所に形成されている。さらに、窪み２１６内の底壁２１４に複数の通孔２１５が開設されている。このように構成されたクラブヘッド２は、全体の重心深度が大きくさせられたうえ、重心高さも低くなった。
【００１６】
複数の通孔２１５は窪み２１６内の底壁２１４に開設されているが、それに限られず、窪み２１６内の壁面の他の位置に開設されていても良い。複数の通孔２１５により、ボールを打った瞬間、中空体となった後枠部２１の内部空間にある空気から生じる振動は振動減衰材２２に伝わる。振動減衰材２２は、この振動を吸収するとともに、ボールを打った瞬間にクラブヘッドが受けた衝撃を減衰させることができる。しかも、振動減衰材２２を介して、釣合重り２３の後枠部２１への振動伝達も遮断される。  
【００１７】
本実施形態において、振動減衰材２２はゴム製の断面コ字形のものであり、釣合重り２３は金属製のプラグ形のものであって振動減衰材２２の断面コ字形の凹陥部に交換可能に充填されている。釣合重り２３は振動減衰材２２の断面コ字形の凹陥部に嵌合などの方式で交換可能に充填されているので、異なる重量の釣合重り２３を取り替えることによって、必要に応じて容易にクラブヘッド２全体の重心を調整することができる。
【００１８】
また、図３と図４に示すように、第２の実施形態はアイアンクラブヘッド２であり、該実施形態の第１の実施形態にかかるクラブヘッド２との基本的な異なるところは、クラブヘッド２の後枠部２１は、前面部２０の後面から後方へ突出し、その上部２１Ａが後方へ開口している中空状となり、その下部２１Ｂが突台状となり、即ちクラブヘッド２全体は第１の実施形態にかかるクラブヘッド２のような中空体に形成されていない点にある。それに、窪み２１６は前記下部２１Ｂの背面に形成されている。振動減衰材２２と釣合重り２３との部材に至っては、第１の実施形態にかかるクラブヘッド２と同じである。それにより、この実施形態は、その振動減衰材２２が空気から生じる振動を吸収する効果がない外、他に第１の実施形態にかかるクラブヘッド２とまったく同じである。
【００１９】
以上、実施形態に基づいて詳細に説明したが、本発明はこれらの実施形態に限定されない。本発明の特徴と目的の範囲内に種々の変形や変更が可能である。
【産業上の利用可能性】
【００２０】
本発明は、ウッドクラブヘッドであれ、アイアンクラブヘッドであれ、一般のクラブヘッドに適用可能なものであり、深い重心深度と低重心を有し、振動減衰効果も優れているので、初心者からベテランまでのゴルファーにとっては、方向性良く高弾道にボールを打ち易くなって、ゴルフをもっと楽しむことができる。
【図面の簡単な説明】
【００２１】
【図１】本発明の第１の実施形態にかかるクラブヘッドを斜め下からみた斜視図である。
【図２】図１の第１の実施形態にかかるクラブヘッドを側面からみた断面図（打球面を正面とした場合）である。
【図３】本発明の第２の実施形態にかかるクラブヘッドを反打球面の方からみた斜視図である。
【図４】図３の第２の実施形態にかかるクラブヘッドを側面からみた断面図（打球面を正面とした場合）である。
【符号の説明】
【００２２】
２        クラブヘッド
２０      前面部
２１      後枠部
２１Ａ    上部
２１Ｂ    下部
２２      振動減衰材
２３      釣合重り
２０１    フェース
２１０    境界線
２１１    下周縁
２１２    背面部
２１３    底面部
２１４    底壁
２１５    通孔
２１６    窪み
【図１】
2006198251.tif 000003
【図２】
2006198251.tif 000004
【図３】
2006198251.tif 000005
【図４】
2006198251.tif 000006